(57)【要約】【課題】共有情報と個人の専有情報を連携し、端末画面上で適切な表示を行うことにより、利用者の利便性と有効性を高めた情報共有システムの情報連携プログラムを提供すること。【解決手段】利用者端末２がネットワーク３を介して接続されたサーバー１と、該サーバー１に接続された共有情報データベース５および専有情報データベース４と、を備えた情報共有システムのコンピュータを、前記情報共有システム内に存在する表示対象の共有情報と専有情報、あるいは、ネットワーク上の資源から情報共有システム内に取り込んだ表示対象の共有情報に対し、唯一の識別子を付与する手段、共有情報と専有情報の書き込み欄を同一画面に表示した端末画面を生成・配信する手段、前記配信された共有情報表示画面上の書き込み欄に専有情報を書き込む手段、前記共有情報と書き込まれた専有情報を同一画面に表示した端末画面を生成・配信する手段、として機能させた。【選択図】図１２
2008065374.tif 000002
【特許請求の範囲】
【請求項１】
利用者端末がネットワークを介して接続されたサーバーと、該サーバーに接続された共有情報データベースおよび専有情報データベースと、を備えた情報共有システムのコンピュータを、
前記情報共有システム内に存在する表示対象の共有情報と専有情報、あるいは、ネットワーク上の資源から情報共有システム内に取り込んだ表示対象の共有情報に対し、唯一の識別子を付与する識別子付与手段、
前記情報共有システム内で唯一の識別子を持っている共有情報と、該共有情報のメッセージに関連付けた専有情報の書き込み欄と、を同一画面に表示した端末画面を生成・配信する共有情報画面生成・配信手段、
前記配信された共有情報表示画面上の書き込み欄に、利用者端末操作により特定の利用者個人が専有する専有情報を書き込む専有情報書き込み手段、
前記共有情報と、書き込まれた専有情報と、を同一画面に表示した端末画面を生成・配信する連携情報画面生成・配信手段、
として機能させることを特徴とする情報共有システムの情報連携プログラム。
【請求項２】
請求項１に記載された情報共有システムの情報連携プログラムにおいて、
前記専有情報データベースは、情報識別子、情報所有者、情報種別、情報本体・カテゴリ、共有情報リンクの各レコードを有し、
前記共有情報データベースは、情報識別子、サブシステム種別、サブシステム情報、情報種別、情報本体の各レコードを有し、
前記識別子付与手段は、前記各レコードに対しシステム内で唯一の識別子を持たせたことを特徴とする情報共有システムの情報連携プログラム。
【請求項３】
請求項２に記載された情報共有システムの情報連携プログラムにおいて、
前記専有情報データベースは、システム内で唯一の識別子を持たせた付加情報のレコードを有し、共有情報のサイズが大きい場合、利用者個人が必要とする情報の位置を特定するデータを付加情報として保持することを特徴とする情報共有システムの情報連携プログラム。
【請求項４】
請求項２乃至請求項３の何れか１項に記載された情報共有システムの情報連携プログラムにおいて、
前記共有情報画面生成・配信手段は、専有情報データベースに保存されている一つ以上の共有情報リンクを用い、前記共有情報データベースから、表示対象の共有情報レコードを取得し、共有情報の端末画面を生成することを特徴とする情報共有システムの情報連携プログラム。
【請求項５】
請求項１乃至４の何れか１項に記載された情報共有システムの情報連携プログラムにおいて、
前記共有情報画面生成・配信手段は、前記共有情報と、共有情報のメッセージに関連付けた「メモ」ボタンと、を同一の端末画面に表示し、この端末画面の「メモ」ボタンを選択操作すると、専有情報の書き込み欄としてのメモ編集画面領域を端末画面に表示することを特徴とする情報共有システムの情報連携プログラム。
【請求項６】
請求項５に記載された情報共有システムの情報連携プログラムにおいて、
前記専有情報書き込み手段は、「メモ」ボタンの選択操作により端末画面に表示されたメモ編集画面領域の「メモ記入欄」にメモを書き込むことを特徴とする情報共有システムの情報連携プログラム。
【請求項７】
請求項５乃至請求項６の何れか１項に記載された情報共有システムの情報連携プログラムにおいて、
前記専有情報書き込み手段は、端末画面に表示されたメモ編集画面領域に、選択操作によりメモ編集画面領域を消す「更新」ボタンと、選択操作により更新せずに終了する「取消」ボタンと、を有することを特徴とする情報共有システムの情報連携プログラム。
【請求項８】
請求項５乃至請求項７の何れか１項に記載された情報共有システムの情報連携プログラムにおいて、
前記専有情報書き込み手段は、端末画面に表示されたメモ編集画面領域に、利用者がメモ内容のカテゴリを定義することが可能なカテゴリ設定部を有することを特徴とする情報共有システムの情報連携プログラム。
【請求項９】
請求項５乃至請求項８の何れか１項に記載された情報共有システムの情報連携プログラムにおいて、
前記連携情報画面生成・配信手段は、前記共有情報データベースから表示対象の共有情報レコードを取得し、共有情報の情報識別子をキーに前記専有情報データベースから専有情報レコードを取得し、取得した共有情報と、共有情報のメッセージに関連付けた専有情報としての「メモ内容」と、を同一画面に表示した端末画面を生成・配信することを特徴とする情報共有システムの情報連携プログラム。
【請求項１０】
請求項９に記載された情報共有システムの情報連携プログラムにおいて、
前記連携情報画面生成・配信手段は、前記「メモ内容」と共に端末画面に表示された「メモ」ボタンを選択操作すると、メモ編集画面領域を表示し、該メモ編集画面領域の「取消」ボタンの選択操作により、書き込んだメモ内容を編集し、前記メモ編集画面領域の「更新」ボタンの選択操作により、前記共有情報と、更新された「メモ内容」と、を同一画面に表示した端末画面を生成・配信することを特徴とする情報共有システムの情報連携プログラム。
【請求項１１】
請求項５乃至請求項８の何れか１項に記載された情報共有システムの情報連携プログラムにおいて、
前記連携情報画面生成・配信手段は、前記取り込んだ共有情報のメッセージ標題のみによる標題一覧と、共有情報のメッセージに関連付けた「メモあり」ボタンを同一の端末画面に表示し、「メモあり」ボタンの選択操作により画面に「メモ内容」を表示した端末画面を生成・配信することを特徴とする情報共有システムの情報連携プログラム。
【請求項１２】
請求項９乃至１１の何れか１項に記載された情報共有システムの情報連携プログラムにおいて、
前記連携情報画面生成・配信手段は、前記メモ編集画面領域の「削除」ボタンの選択操作により、書き込んだ「メモ内容」の表示を消し、取り込んだ共有情報と、共有情報のメッセージに関連付けた「メモ」ボタンを同一の画面に表示する元の画面に戻した端末画面を生成・配信することを特徴とする情報共有システムの情報連携プログラム。
【請求項１３】
請求項１乃至１２の何れか１項に記載された情報共有システムの情報連携プログラムにおいて、
配信された共有情報表示画面上の書き込み欄に、利用者端末操作により特定の利用者個人が専有する専有情報として１つまたは複数のメモを書き込んだ場合、利用者個人が持つメモ内容を一覧表示した端末画面を生成・配信する機能を持つ専有情報一覧画面生成・配信手段を追加したことを特徴とする情報共有システムの情報連携プログラム。
【請求項１４】
請求項１３に記載された情報共有システムの情報連携プログラムにおいて、
前記専有情報一覧画面生成・配信手段は、専有情報データベースから、共有情報へのリンクがある専有情報レコードを取得し、共有情報データベースから共有情報の情報識別子をキーにして共有情報レコードの一部を取得し、取得した専有情報と、専有情報に関連する共有情報の一部と、を同一画面に表示した端末画面を生成・配信することを特徴とする情報共有システムの情報連携プログラム。
【請求項１５】
請求項１４に記載された情報共有システムの情報連携プログラムにおいて、
前記専有情報一覧画面生成・配信手段は、利用者個人が持つ「メモ内容」を一覧表示した端末画面を生成・配信し、各「メモ内容」に有する「編集」ボタンの選択操作により「メモ内容」の編集を行うことを特徴とする情報共有システムの情報連携プログラム。
【請求項１６】
請求項１３乃至請求項１５の何れか１項に記載された情報共有システムの情報連携プログラムにおいて、
前記専有情報一覧画面生成・配信手段は、利用者個人が持つ「メモ内容」を一覧表示し、各「メモ内容」に有する「ジャンプ」ボタンのうち１つのボタンを選択操作することで、「メモ内容」に関連するメッセージを有する共有情報の画面を表示することを特徴とする情報共有システムの情報連携プログラム。
【請求項１７】
請求項１３乃至請求項１６の何れか１項に記載された情報共有システムの情報連携プログラムにおいて、
前記専有情報一覧画面生成・配信手段は、利用者個人が持つ「メモ内容」を表示した一覧画面に有する「メモ内容」のカテゴリを利用者が定義した場合、全ての「メモ内容」から該当するカテゴリの「メモ内容」のみを選択して表示することを特徴とする情報共有システムの情報連携プログラム。
【発明の詳細な説明】
【技術分野】
【０００１】
本発明は、グループウェアなどの情報共有システムにおいて、共有情報のメッセージに対し共有したくない専有情報を記述する、いわゆる「付箋」的機能を付加した情報共有システムの情報連携プログラムに関する。
【背景技術】
【０００２】
従来、読書において注釈や参考事項を書籍のページに直接書き込んだり、重要な個所にアンダーラインを引いたりしてメモを書き込む行為と同様に、ネットワークを介してリンクし購読するホームページにメモを書き込み、注釈や参考事項を画面に挿入したり、ホームページの画面にアンダーラインや取り消し線を引いたりすることができ、かつ書き込んだメモを保存して再表示することができるホームページ表示画面へのメモ書き込みシステムが知られている（例えば、特許文献１参照）。
【特許文献１】特開２００２−２２２１１３号公報
【発明の開示】
【発明が解決しようとする課題】
【０００３】
しかしながら、従来のホームページ表示画面へのメモ書き込みシステムにあっては、発明の対象がシステムの外部存在であるホームページであるため、メモ書き込み対象としたホームページが変更されたり、ＵＲＬが変更された場合、ホームページ（共有情報）とメモ情報（専有情報）の連携による有効性が失われてしまう。
さらに、ホームページを発明の対象にする以上、ＵＲＬでの管理となるし、ホームページでは、同じ対象物を異なるＵＲＬで表現することが多いため（例えば、掲示板の一覧表示と本文表示でＵＲＬが異なるが、同じメッセージが表示されている。）、一つのホームページで付けたメモを他の画面で参照することができない。
したがって、従来システムでは、メモを書き込み、所定に時間を経過した後、保存されたメモ内容から、メモに関連するホームページに辿り着こうとしても辿り着けないことがあるし、一つのホームページで付けたメモを他の画面にて参照できないことがある、という問題がある。このため、引用文献１に記載された発明を活用したシステムが一般的にも知られていないというように、実効性の少ない発明ということができる。
なお、「ＵＲＬ（Uniform Resource Locator）」とは、インターネット上に存在する情報資源（文書や画像など）の場所を指し示す記述方式をいう。
【０００４】
現状において、「共有したくない情報」を取り扱う場合、利用者端末の「メモ帳」へ書き込み、書き込んだ情報を端末内に保存する手法が一般的に採られる。しかし、この場合には、共有情報との連携が無いため、その後、メモ書き込みの対象となった共有情報のメッセージが記載されている部分にアクセスしようとしても手間のかかる操作を要する。例えば、書き込みから相当時間が経過した後、メモ内容をみても意味が分からず、メモ書き込みの対象となった共有情報のメッセージが記載されている部分にアクセスしたい場合、改めて共有情報へのアクセス操作を行い、共有情報を端末画面に開いた後、メモ書き込みの対象となった内容が記載されているメッセージを探す必要がある。さらに、メモは個人の端末に保存されてしまうため、利用者が他の端末を使用していると、参照できない可能性も高い。
【０００５】
加えて、共有情報と専有情報とを同一画面上に表示するものとしては、掲示板システムにおいて、個々のメッセージを既に読んだか否か（既読・未読）を判断し、既読・未読の状態をアイコンとして表示するものが知られている（例：ＡＴＳＯＮ−１、トランスコスモス社、1990年発売）。しかし、この掲示板システムでは、個人的な覚え書きとして書き込みたい自由な内容による「メモ情報」を書き込む機能を全く持たない。
【０００６】
本発明は、上記問題に着目してなされたもので、共有情報と個人の専有情報を連携し、端末画面上で適切な表示を行うことにより、利用者の利便性と有効性を高めた情報共有システムの情報連携プログラムを提供することを目的とする。
【課題を解決するための手段】
【０００７】
上記目的を達成するため、本発明の情報連携プログラムでは、
利用者端末がネットワークを介して接続されたサーバーと、該サーバーに接続された共有情報データベースおよび専有情報データベースと、を備えた情報共有システムのコンピュータを、
前記情報共有システム内に存在する表示対象の共有情報と専有情報、あるいは、ネットワーク上の資源から情報共有システム内に取り込んだ表示対象の共有情報に対し、唯一の識別子を付与する識別子付与手段、
前記情報共有システム内で唯一の識別子を持っている共有情報と、該共有情報のメッセージに関連付けた専有情報の書き込み欄と、を同一画面に表示した端末画面を生成・配信する共有情報画面生成・配信手段、
前記配信された共有情報表示画面上の書き込み欄に、利用者端末操作により特定の利用者個人が専有する専有情報を書き込む専有情報書き込み手段、
前記共有情報と、書き込まれた専有情報と、を同一画面に表示した端末画面を生成・配信する連携情報画面生成・配信手段、
として機能させることを特徴とする。
【発明の効果】
【０００８】
よって、本発明の情報共有システムの情報連携プログラムにあっては、識別子付与手段において、情報共有システム内に存在する表示対象の共有情報と専有情報、あるいは、ネットワーク上の資源から情報共有システム内に取り込んだ表示対象の共有情報に対し、唯一の識別子が付与される。そして、共有情報画面生成・配信手段において、情報共有システム内で唯一の識別子を持っている共有情報と、該共有情報のメッセージに関連付けた専有情報の書き込み欄と、を同一画面に表示した端末画面が生成・配信され、専有情報書き込み手段において、配信された共有情報表示画面上の書き込み欄に、利用者端末操作により特定の利用者個人が専有する専有情報が書き込まれる。そして、連携情報画面生成・配信手段において、共有情報と、書き込まれた専有情報と、を同一画面に表示した端末画面が生成・配信される。
【０００９】
すなわち、表示対象となる情報（共有情報、専有情報にかかわらない）に対し、唯一の識別子を付与するため、情報共有システム上において、識別子を持った各対象により閉じたシステム系が構築される。
つまり、本発明の管理対象は、閉じたシステム系の内部に存在する識別子を持った全ての対象であるため、例えば、ホームページを対象とする場合のように、「ＵＲＬが変更されて連携先がなくなる。」というようなことがない。
また、管理対象のうち共有情報は、識別子を持った個別文書であるため、ＵＲＬで管理されるホームページのように、一つのホームページで付けたメモを他の画面にて参照できなくなるということがなく、同じ文書であれば、どの画面であっても同一の専有情報（例えば、メモ）を参照・更新することができる。
【００１０】
このように、本発明では、閉じたシステム系が構築され、閉じたシステム系の内部に存在する識別子を持った全ての対象を発明の管理対象とするものであるため、下記に列挙するような「付箋」的機能を達成できる。
・例えば、共有情報のメッセージのうち、メモの必要性を感じたメッセージの部分に表示される書き込み欄にメモを残すことができる。
・例えば、端末画面に表示された書き込み欄に、共有したくない専有情報として、自由な内容のメモを記述することができる。
・例えば、書き込まれた内容を、個人的な覚え書きとし、会話や講演などの下書きメモとして利用することができる。
・例えば、書き込み内容を編集することで、共有情報として書き込む前の段階での下書きにすることができる。
【００１１】
併せて、下記に列挙するような情報リンク機能を達成できる。
・例えば、書き込んだ専有情報の一覧画面をブックマーク的に利用することで、容易に共有情報に辿り着くことができる。
・例えば、専有情報を共有情報に昇格させたいとき、同一システム内での容易な操作により共有情報に昇格させることができる。
【００１２】
上記のように、共有情報と個人の専有情報を連携し、端末画面上で適切な表示を行うことにより、「付箋」的機能や情報リンク機能が達成され、利用者の利便性と有効性を高めることができる。
【発明を実施するための最良の形態】
【００１３】
以下、本発明の情報共有システムの情報連携プログラムを実現する最良の形態を、図面に示す実施例１に基づいて説明する。
【実施例１】
【００１４】
まず、システム構成を説明する。
図１は実施例１の情報連携プログラムが適用された情報共有システムを示す全体システム図、図２は実施例１の情報共有システムにおける専有情報データベースのテーブルを示す図、図３は実施例１の情報共有システムにおける共有情報データベースのテーブルを示す図である。
【００１５】
実施例１における情報共有システムは、図１に示すように、サーバー１と、利用者端末２と、ネットワーク３と、専有情報データベース４と、共有情報データベース５と、を備えている。
【００１６】
本システムの情報連携プログラムは、１台以上のサーバー１と、そこに接続された専有情報データベース４と共有情報データベース５を利用して動作するプログラムである。
【００１７】
実施例１における情報連携プログラムは、端末画面の生成・配信を行うサーバー１（ウェブサーバーが代表であるが、これに限らない）を用いて、利用者が使用する利用者端末２に対して直接または遠隔にて画面表示を行う。
【００１８】
前記サーバー１は、コンピュータネットワークにおいて、利用者端末２に対し、自身の持っている機能やデータを提供するコンピュータである。
このサーバー１には、適切なデータベースドライバがインストールされていて、専有情報データベース４と共有情報データベース５をウェブアプリケーションなどで使用することができる。
【００１９】
前記利用者端末２は、例えば、ウェブページを閲覧できるブラウザを備えたパーソナルコンピュータなどであり、前記サーバー１に対しインターネットなどのネットワーク３を介して接続されている。
この利用者端末２には、操作入力手段としてのキーボード２ａや、端末画面を映し出すモニター２ｂや、図外のマウスなどを有する。
なお、図１においては、簡易的に４台の利用者端末２Ａ，２Ｂ，２Ｃ，２Ｄを示しているが、実際には多数の利用者端末がネットワーク３を介して接続されている。
【００２０】
前記専有情報データベース４には、特定の個人が専有する専有情報の集まりであり、専有情報の情報そのものと、共有情報への一つ以上のリンクが保存してある。
各専有情報データベース４のテーブルは、図２に示すように、特定の個人が専有するそれぞれについて、情報識別子４ａ（キー）と、情報所有者４ｂ（キー）と、情報種別４ｃと、情報本体・カテゴリ４ｄと、共有情報リンク４ｅ（キー）と、付加情報４ｆと、を有している。
専有情報データベース４の各レコードは、システム内で唯一の識別子を持っている（識別子付与手段）。
なお、図１においては、簡易的に１個の専有情報データベース４を示しているが、実際には本システムを利用する利用者端末の数に応じて領域配分されている。
また、図２に例示したテーブルは、システムの理解のために簡易化して表示してあり、実際には高速化などを目的として、異なる方法で実装している。
【００２１】
専有情報データベース４のうち、付加情報４ｆについて説明する。
共有情報のサイズが大きいため、情報単位で連携することが実用上不十分である場合が考えられる。
そこで、付加情報として、共有情報の内部位置を連係情報の内部に保存することで、共有情報と専有情報との表示位置関係をより利便性の高いものにすることができる。
具体的には、共有情報がＸＭＬ文書であれば、ＤＯＭツリー情報を基に文書内での位置を特定するデータを付加情報として保持する。
共有情報が画像情報である場合、その画像情報が存在する位置を特定するデータを付加情報として保持する。
共有情報が動画情報である場合、その動画情報が存在する位置を特定するデータ（開始からの経過時刻）を付加情報として保持する。
なお、このような付加情報の利便性は、連携先が不変であることが条件になる。本システムがホームページのような、常に変化する対象を直接取り扱わない理由はここにある。
【００２２】
前記共有情報データベース５は、掲示板メッセージなどの共有情報の集まりであり、アプリケーションに応じて、掲示板サブシステム、ブログサブシステムなど、個々に設計、実装されている。
共有情報データベース５のテーブルは、図３に示すように、情報識別子５ａ（キー）と、サブシステム種別５ｂと、サブシステム情報５ｃと、情報種別５ｄと、情報本体５ｅと、を有している。
全てのテーブルの各レコードは、システム内で唯一の識別子を持っている（識別子付与手段）。
なお、図３に例示したテーブルは、システムの理解のために簡易化して表示してあり、実際には高速化などを目的として、異なる方法で実装している。
【００２３】
上記のように、実施例１における情報共有システムは、下記の特徴点を備えている。
・専有情報を保存する専有情報データベース４のテーブルには、共有情報データベース５のリンクを保管する（図２）。
・共有情報を表示する際に付随する専有情報を合わせて表示する（表示画面：図１２）。
・全ての情報が識別子を有しているので、システム内のあらゆる情報間に連携を作成することができる。
【００２４】
次に、連携情報画面の生成処理について説明する。
図４は実施例１の情報共有システムにおいて共有情報と専有情報を同一画面に表示する連携情報画面の生成処理の流れを示すフローチャートで、以下、各ステップについて説明する（連携情報画面生成・配信手段）。
ステップＳ４１では、共有情報データベース５から、表示対象の共有情報レコードを取得し、ステップＳ４２へ進む。
次のステップＳ４２では、共有情報の情報識別子５ａをキーに、専有情報データベース４から専有情報レコードを取得し、ステップＳ４３へ進む。
次のステップＳ４３では、上記データ（共有情報データと専有情報データ）から画面を生成し、終了へ進む。
つまり、共有情報画面に専有情報を併合して表示するには、従来からある共有情報表示画面の表示機能に、画面に表示する各共有情報の情報識別子を基に専有情報テーブルを引いて共有情報と専有情報とを隣接して表示する。
こうして生成した画面の一例が、図１２などの掲示板表示画面である。
【００２５】
次に、専有情報一覧画面の生成処理について説明する。
図５は実施例１の情報共有システムにおいて専有情報一覧画面の生成処理の流れを示すフローチャートで、以下、各ステップについて説明する。
ステップＳ５１では、専有情報データベース４から、共有情報へのリンクがあるレコードを取得し、ステップＳ５２へ進む。
次のステップＳ５２では、共有情報の情報識別子５ａをキーにして共有情報データベース５から共有情報レコードの一部を取得し、ステップＳ５３へ進む。
次のステップＳ５３では、上記データ（共有情報リンクを持つ専有情報データ）から画面を生成し、終了へ進む。
つまり、共有情報にリンクされた専有情報の一覧を、適当な順番で整列して（例えば、時系列で）表示するには、専有情報のうち、共有情報リンクを持つものを表示する。
こうして生成した画面の一例が、図２０に示すメモ一覧画面である。
【００２６】
次に、端末利用者が行う各操作について説明する。
本システムを利用する場合、端末利用者が行う各操作について、図６〜図１９に示す利用者端末２のモニター２ｂに映し出された表示画面の一例を参照しながら以下説明する。
【００２７】
・ログイン
図６は、実施例１の情報共有システムでの操作のうちログイン操作を行う際の表示画面の一例を示す図である。
本システムを利用する端末利用者は、図６に示すように、ID入力領域６１に利用者識別符号（利用者ID）を入れ、パスワード入力領域６２にパスワードを入れ、「ログイン」ボタン６３をクリックすることで、システムにログインする。
図６に例示された画面で、太線で囲まれた領域は、利用者が操作か可能な対象（入力領域或いはボタンなど）である。
図６の内部が灰色に塗りつぶされた部分は入力領域であり、利用者が入力したテキストを例示している。
【００２８】
・共有情報表示画面
図７は、実施例１の情報共有システムでの操作のうち掲示板サービスへアクセス操作をした際の共有情報表示画面の一例を示す図である。
共有情報表示の代表として、電子掲示板（以下、「掲示板」という。）を例示する。
ログイン後、掲示板サービスに入る。
本システムは、サービス利用者の全部または特定のグループのみが書き込み・閲覧できる、掲示板機能を提供している。
図７は、掲示板に書き込まれたメッセージの表示画面の一例である。
表示画面には、掲示板タイトル表示部７１と、メッセージ表示部７２，７３と、「メモ」ボタン７４，７５と、「コメント」ボタン７６，７７を有し、サービス利用者が誰でも見られる内容として返信を送る機能である「コメント」ボタン７６，７７は、図７の画面右下についている。本システムでは、これに加え、各メッセージ表示部７２，７３に、それぞれ「メモ」ボタン７４，７５が用意してある。
【００２９】
・「メモ」ボタンをクリック
図８は、実施例１の情報共有システムでの操作のうち「メモ」ボタンをクリック操作する際の表示画面の一例を示す図である。
図８には、１０月９日付けのメッセージとして、メッセージ表示部７２に「運動会を開催します。」というメッセージがある。このメッセージに関連付けられた「メモ」ボタン７４が表示されているので、図８に示すように、「メモ」ボタン７４をクリックする。
【００３０】
・メモ編集画面領域を表示
図９は、実施例１の情報共有システムでの操作のうち「メモ」ボタンのクリック操作によりメモ編集画面領域が表示された際の表示画面の一例を示す図である。
図８に示す「メモ」ボタン７４のクリック操作により、図９に示すように、メモ編集画面領域７８が掲示板表示画面上に重ねて表示される（共有情報画面生成・配信手段）。
【００３１】
・メッセージの書き込み
図１０は、実施例１の情報共有システムでの操作のうちメモ編集画面領域にメッセージの書き込み操作した際の表示画面の一例を示す図である。
本システムの利用者は、メッセージに関連したメモを、メモ編集画面領域７８の記入欄７８ａに記入する（専有情報書き込み手段）。
なお、メモ編集画面領域７８には、記入欄７８ａ以外に、「更新」ボタン７８ｂと、「取消」ボタン７８ｃと、を有する。さらに、オプションとして、「赤」ボタン７８ｄと、「青」ボタン７８ｅを有し、カテゴリ毎にメモの色を選択することができる。図１０の例示画面では、赤と青との２色だけとしているが、この２色に限るものではなく、３色以上の選択肢を設定しても良い。
また、カテゴリとは、範疇・区分・分野・種類・圏などをいい、例えば、メモ内容の重要度やメモの種類などにより、利用者が使う色を自由に決めるようにしても良い。
【００３２】
・メモの更新
図１１は、実施例１の情報共有システムでの操作のうち「更新」ボタンをクリック操作した際の表示画面の一例を示す図である。
図１１に示すように「更新」ボタン７８ｂをクリックすると、図１２に示すようにメモ編集画面領域７８を画面から消した次の画面に遷移する。
このとき、「更新」ボタン７８ｂの代わりに「取消」ボタン７８ｃをクリックすると、更新せずに終了することもできる。
【００３３】
・メッセージと関連付けたメモの表示
図１２は、実施例１の情報共有システムでの操作のうち「更新」ボタンのクリック操作によりメモ編集画面領域が消えた後のメッセージと関連付けたメモの表示画面の一例を示す図である。
図１１の「更新」ボタン７８ｂのクリック操作によりメモ編集画面領域７８が消えた後は、図１２に示すように、メッセージ表示部７２の１０月９日付けのメッセージに関連付けられた形で「メモ」ボタン７４の横の位置に枠組みをしたメモ内容表示部７９が作成され、メモ内容表示部７９内にメモ内容（例えば、「おじさんに連絡する。」）が表示される。
このとき、メモ内容は他の利用者には見えない。
【００３４】
・メモの編集
図１３は、実施例１の情報共有システムでの操作のうちメモの表示画面上で貼り付けたメモの内容を修正あるいは削除する操作を行う際の表示画面の一例を示す図である。
既にメモ内容表示部７９に貼り付けたメモ内容を修正あるいはメモ内容を削除するには、図１３に示すように、「メモ」ボタン７４をクリックする。
【００３５】
・編集内容の入力
図１４は、実施例１の情報共有システムでの操作のうちメモ編集画面領域が現れてメモ内容の編集操作を行う際の表示画面の一例を示す図である。
図１３の「メモ」ボタン７４のクリック操作により、図１４に示すように、メモ編集画面領域７８が現れ、メモ内容表示部７９に貼り付けたメモ内容を編集することができる。
ここで現れるメモ編集画面領域７８には、図１０に示すメモ編集画面領域７８の各ボタン７８ｂ，７８ｃ，７８ｄ，７８ｅに加え、「削除」ボタン７８ｆが加えられ、編集領域であるメモ内容表示部７９のテキストを自由に編集することができる。
【００３６】
・メモの更新
図１５は、実施例１の情報共有システムでの操作のうち編集が終わって「更新」ボタンをクリック操作する際の表示画面の一例を示す図である。
メモ内容表示部７９に書き込むメモ内容の編集が終わったら、図１５に示すように、「更新」ボタン７８ｂをクリックする。
なお、「更新」ボタン７８ｂをクリックする代わりに、「削除」ボタン７８ｆをクリックすると、このメモ内容を削除することもできる（図１８、図１９参照）。
【００３７】
・更新の完了
図１６は、実施例１の情報共有システムでの操作のうち「更新」ボタンのクリック操作により更新されたメモの内容を表示する画面の一例を示す図である。
図１５に示すように、「更新」ボタン７８ｂをクリックすると、図１６に示すように、掲示板表示画面に、メッセージ（メッセージ表示部７２）と共に更新されたメモ内容（メモ内容表示部７９）が表示される。
【００３８】
・一覧画面での表示
図１７は、実施例１の情報共有システムでの操作のうち掲示板サービスにてメッセージの標題のみを列挙した標題一覧画面を開く操作をした際の表示画面の一例を示す図である。
掲示板サービスには、メッセージの本文を表示せず、標題のみを一覧にして表示する画面も用意されている。
そこで、掲示板サービスにてメッセージの標題のみを列挙した標題一覧画面を開く操作をすると、図１７に示すように、メッセージの標題のみを列挙した標題一覧画面が表示される。
この標題一覧の表示画面には、標題一覧と付記した掲示板タイトル表示部８０と、標題一覧表示部８１と、「メモあり」ボタン８２を有する。この「メモあり」ボタン８２をクリックすることで、利用者はメモを読むことができる（図１７において、メモの本文は、スペースの関係で省略している）。
本システムでは、ＵＲＬのような曖昧な識別子ではなく、システム内オブジェクトであるメッセージ（共有情報）とメモ（専有情報）とを連携させているため、ＵＲＬが異なっても、同一のメモを表示編集できる。
【００３９】
・メモの削除
図１８は、実施例１の情報共有システムでの操作のうちメモ編集画面領域で「削除」ボタンをクリック操作する際の表示画面の一例を示す図である。
メモが不要になった場合には、図１８に示すように、メモ編集画面領域７８で「削除」ボタン７８ｆをクリックする。これにより、書き込んだメモの記述内容が削除される。
【００４０】
・メモ削除完了
図１９は、実施例１の情報共有システムでの操作のうち「削除」ボタンのクリック操作によりメモ表示が消えた際の表示画面の一例を示す図である。
図１８に示すように「削除」ボタン７８ｆのクリック操作を行うと、図１９に示すように、メモ表示が消え、図７と同じ画面表示状態に戻る。
【００４１】
次に、メモ一覧の表示及びメモ一覧表示を利用した機能について説明する。
本システムには、利用者個人が持つメモ一覧を表示するページがあり、メモ一覧の表示機能及びメモ一覧表示を利用して達成できる機能について、図２０〜図２２に基づいて説明する。
【００４２】
・メモ一覧
図２０は、実施例１の情報共有システムでの利用者個人が持つメモ一覧を表示する表示画面の一例を示す図である。
メモ一覧表示画面には、メモ一覧タイトル表示部９０と、メモ内容＆メッセージ標題表示部９１，９２，９３，９４と、各メモ内容＆メッセージ標題表示部９１，９２，９３，９４に設けられた「編集」ボタン９５，９６，９７，９８と、各メモ内容＆メッセージ標題表示部９１，９２，９３，９４に設けられた「ジャンプ」ボタン９９，１００，１０１，１０２と、を有する。さらに、メモ一覧タイトル表示部９０には、「赤」ボタン１０３と「青」ボタン１０４を有する。
図２０に示すメモ一覧表示画面において、「編集」ボタン９５，９６，９７，９８をクリックすると、図１３〜図１６と同様に、メモを編集することができる。
メモを添付した先の画面を表示するには、図２０に示すメモ一覧表示画面において、「ジャンプ」ボタン９９，１００，１０１，１０２をクリックする。
【００４３】
・共有情報画面の表示
図２１は、実施例１の情報共有システムでのメモ一覧表示画面において「ジャンプ」ボタンをクリック操作した場合の掲示板表示画面の一例を示す図である。
図２０に示すように、メモ一覧表示画面において「ジャンプ」ボタン９９をクリックすると、図２１に示すように、メモを書き込んだ掲示板表示画面（図１６と同じ画面）が表示される。
つまり、「ジャンプ」ボタン９９をクリックするだけで、メモ一覧表示画面からメモを書き込んだ掲示板表示画面へジャンプすることができる。
【００４４】
・カテゴリ選択表示
図２２は、実施例１の情報共有システムでのメモ一覧表示画面において「赤」ボタンをクリック操作した場合のメモ一覧表示画面の一例を示す図である。
例えば、図２０に示すメモ一覧表示画面において、「赤」ボタン１０３をクリックすると、図２２に示すように、該当カテゴリのメッセージのみをメモ一覧表示画面にて表示することができる。
つまり、カテゴリは自由に付与できるが、本システムでは、専有情報をメモの形で表現しているため、「付箋」の色として、カテゴリを表現するのが自然である。
【００４５】
次に、技術背景を説明する。
情報共有システムは、グループウェア、ＳＮＳ、Ｗｉｋｉ、ブログなどに代表される。
「グループウェア」とは、学校や企業などのグループ内ＬＡＮを活用して情報共有やコミュニケーションを図り、グループによる協調作業を支援するソフトウェアをいう。
「ＳＮＳ（Social Networking Site）」とは、多数の会員制のコミュニティから構成されるウェブサイトをいう。
「Ｗｉｋｉ」とは、ウェブブラウザから簡単にウェブページの発行・編集などが行えるウェブコンテンツ管理システムをいう。
「ブログ」とは、個人や数人のグループで運営され、日々更新される日記的なウェブサイトの総称をいう。
【００４６】
しかし、これらの情報共有システムは、情報共有の目的には適しているが、個人の情報管理の視点が欠落しており、別なツールと連携が不可欠であるが、連携が不十分なため、情報を活用しきれていない。
【００４７】
例えば、読書において、後で読み返したい内容が記載されているページや、後々必要となるかもしれない内容が記載されているページや、少し気になる内容が記載されているページなどに、取り敢えず簡単なメモ書きをした「付箋」が貼り付けられる。
そして、「付箋」を貼り付けて相当の時間や日数が経過した後、改めて「付箋」をしておいたページを開き、メモ書きを確認しながら、例えば、記載内容を書き取って資料を作成するなどの編集作業を行う。
【００４８】
これと同様に、ネットワークを介して購読する掲示板表示画面などにおいても、上記「付箋」に相当する機能を付加したいという利用者要求がある。
【００４９】
しかしながら、「付箋」に書き込むような「メモ情報」は、従来のホームページ表示画面へのメモ書き込みシステムでの「メモ情報」のように共有される共有情報として取り扱うべきものではなく、共有したくない、あるいは共有すべきではない情報（個人が専有する専有情報）である。
【００５０】
一方、教育情報共有システムなどの従来の情報共有システムをみても、情報の共有機能については種々の研究が行われてきたが、個人が専有する専有情報と共有情報との間の連携については、ほとんど注意が払われていなかった。
【００５１】
そこで、実施例１の情報共有システムの情報連携プログラムは、
・掲示板メッセージのような共有情報と、特定の個人が専有する非共有の専有情報と、を連携する機能を装備することが、情報共有システムの有効性を高める。
・専有情報は、従来、端末に保存されており、サーバー側の情報との連携に若干の困難があったと考えられるが、現在、インターネット時代になり、専有情報を主としてサーバー側に保存することが利便性からみても実用性からみても主たる選択肢となった。
という点に着目し、情報共有システムに「個人情報管理機能」を持たせた。
【００５２】
次に、具体的な利便性について説明する。
実施例１の情報連携プログラムでは、「共有したくない情報」を「メモ」として表現している。この「メモ」による専有情報は、他の利用者に一切公開されないため、自由な内容を記述することができる。
【００５３】
本システムでは、共有情報と専有情報が、同一システム内に存在しているため、専有情報の検索や分類により、対象を絞り込んだ専有情報一覧画面をブックマーク的に利用することで、容易に共有情報に辿り着くことができる。
【００５４】
個人的な覚え書きとしての用途は多岐にわたる。共有情報を基に会話や講演を行うときも便利である（例えば、ジョークを共有情報の上に書いておく人はいない）。このような専有情報は、従来であれば「メモ帳」（ソフトウェア、あるいは実物のメモ帳）の役割であった。
【００５５】
共有情報として書き込む前のメモ書きをメモとして貼り付けておけば、後で共有情報を実際に書き込むときに便利である。共有情報とメモとが連携されているため、紙のメモのように「あれ、このメモは何の件だったっけ？」ということも起こらない。
【００５６】
図２０のメモ一覧表示画面に示すように、専有情報のみを適切な条件で表示することにより、共有情報（例えば、図２１）への素早いアクセスを実現できる。
【００５７】
専有情報にカテゴリを付与することにより、専有情報の利便性が大きく増す。例えば、実施例１のシステムでは、カテゴリを色で表現することで、直感的な理解を得るように設計してある。また、カテゴリを選択することにより、図２２に示すように、目的別の専有情報の一覧を生成することができる。
【００５８】
最後に、専有情報を共有情報に「昇格」させたい場合、同一システム内の情報であるため、共有情報データベース５にデータを移動するだけで実現できる。
【００５９】
次に、効果を説明する。
実施例１の情報共有システムの情報連携プログラムにあっては、下記に列挙する効果を得ることができる。
【００６０】
(1) 利用者端末２がネットワーク３を介して接続されたサーバー１と、該サーバー１に接続された共有情報データベース５および専有情報データベース４と、を備えた情報共有システムのコンピュータを、前記情報共有システム内に存在する表示対象の共有情報と専有情報、あるいは、ネットワーク上の資源から情報共有システム内に取り込んだ表示対象の共有情報に対し、唯一の識別子を付与する識別子付与手段、前記情報共有システム内で唯一の識別子を持っている共有情報と、該共有情報のメッセージに関連付けた専有情報の書き込み欄と、を同一画面に表示した端末画面を生成・配信する共有情報画面生成・配信手段、前記配信された共有情報表示画面上の書き込み欄に、利用者端末操作により特定の利用者個人が専有する専有情報を書き込む専有情報書き込み手段、前記共有情報と、書き込まれた専有情報と、を同一画面に表示した端末画面を生成・配信する連携情報画面生成・配信手段、として機能させるため、共有情報と個人の専有情報を連携し、端末画面上で適切な表示を行うことにより、利用者の利便性と有効性を高めた情報共有システムの情報連携プログラムを提供することができる。
【００６１】
(2) 前記専有情報データベース４は、情報識別子４ａ、情報所有者４ｂ、情報種別４ｃ、情報本体・カテゴリ４ｄ、共有情報リンク４ｅの各レコードを有し、前記共有情報データベース５は、情報識別子５ａ、サブシステム種別５ｂ、サブシステム情報５ｃ、情報種別５ｄ、情報本体５ｅの各レコードを有し、前記識別子付与手段は、前記各レコードに対しシステム内で唯一の識別子を持たせたため、識別子の管理という簡単な手法により、情報共有システム上において、他の利用者端末からは見ることができない閉じたシステム系を構築することができる。
【００６２】
(3) 前記専有情報データベース４は、システム内で唯一の識別子を持たせた付加情報４ｆのレコードを有し、共有情報のサイズが大きい場合、利用者個人が必要とする情報の位置を特定するデータを付加情報として保持するため、サイズが大きい共有情報に対応しつつ、閉じたシステム系内での共有情報と専有情報との連携を達成することができる。
【００６３】
(4) 前記共有情報画面生成・配信手段は、専有情報データベース４に保存されている一つ以上の共有情報リンク４ｅを用い、前記共有情報データベース５から、表示対象の共有情報レコードを取得し、共有情報の端末画面を生成するため、共有情報リンク４ｅを用いて容易に共有情報の端末画面を生成することができる。
【００６４】
(5) 前記共有情報画面生成・配信手段は、前記共有情報と、共有情報のメッセージに関連付けた「メモ」ボタン７４，７５と、を同一の端末画面に表示し、この端末画面の「メモ」ボタン７４，７５を選択操作すると、専有情報の書き込み欄としてのメモ編集画面領域７８を端末画面に表示するため、ボタン操作のみにより容易に専有情報を書き込むメモ編集画面領域７８を端末画面に表示することができる。
【００６５】
(6) 前記専有情報書き込み手段は、「メモ」ボタン７４の選択操作により端末画面に表示されたメモ編集画面領域７８の「メモ記入欄」にメモを書き込むため、例えば、書き込みスペースの制約があるメッセージの中に書き込む場合に比べ、スペースの制約を受けずに自由にメモの書き込みを行うことができる。
【００６６】
(7) 前記専有情報書き込み手段は、端末画面に表示されたメモ編集画面領域７８に、選択操作によりメモ編集画面領域７８を消す「更新」ボタン７８ｂと、選択操作により更新せずに終了する「取消」ボタン７８ｃと、を有するため、ボタン操作のみにより容易に、書き込んだメモを残して更新する操作を行うことができると共に、書き込んだメモを更新せずに終了する操作を行うことができる。
【００６７】
(8) 前記専有情報書き込み手段は、端末画面に表示されたメモ編集画面領域７８に、利用者がメモ内容のカテゴリを定義することが可能な「色」ボタン７８ｄ，７８ｅ（カテゴリ設定部）を有するため、色分けによりメモのカテゴリを直感的に理解しやすく、専有情報の利便性の増大を図ることができる。
【００６８】
(9) 前記連携情報画面生成・配信手段は、前記共有情報データベース５から表示対象の共有情報レコードを取得し、共有情報の情報識別子をキーに前記専有情報データベース４から専有情報レコードを取得し、取得した共有情報と、共有情報のメッセージに関連付けた専有情報としての「メモ内容」と、を同一画面に表示した端末画面を生成・配信するため、情報識別子をキーとする情報の受け渡しをするだけで、容易に共有情報と専有情報を同一画面に表示した端末画面を生成・配信することができる。
【００６９】
(10) 前記連携情報画面生成・配信手段は、前記「メモ内容」と共に端末画面に表示された「メモ」ボタン７４を選択操作すると、メモ編集画面領域７８を表示し、該メモ編集画面領域７８の「取消」ボタン７８ｃの選択操作により、書き込んだメモ内容を編集し、前記メモ編集画面領域７８の「更新」ボタン７８ｂの選択操作により、前記共有情報と、更新された「メモ内容」と、を同一画面に表示した端末画面を生成・配信するため、メモ編集画面領域７８上に有するボタン操作のみにより、容易にメモ内容の編集ができると共に、更新されたメモ内容による端末画面を生成・配信することができる。
【００７０】
(11)  前記連携情報画面生成・配信手段は、前記取り込んだ共有情報のメッセージ標題のみによる標題一覧と、共有情報のメッセージに関連付けた「メモあり」ボタン８２を同一の端末画面に表示し、「メモあり」ボタン８２の選択操作により画面に「メモ内容」を表示した端末画面を生成・配信するため、共有情報の標題のみを一覧表示するサービスが用意されている場合、サービスを享有しつつ、サービス画面上に専有情報の有無を表示した端末画面を生成・配信することができる。
【００７１】
(12) 前記連携情報画面生成・配信手段は、前記メモ編集画面領域７８の「削除」ボタン７８ｆの選択操作により、書き込んだ「メモ内容」の表示を消し、取り込んだ共有情報と、共有情報のメッセージに関連付けた「メモ」ボタン７４を同一の画面に表示する元の画面に戻した端末画面を生成・配信するため、メモが不要になった場合、ボタン操作により簡単にメモを削除することができる。
【００７２】
(13) 配信された共有情報表示画面上の書き込み欄に、利用者端末操作により特定の利用者個人が専有する専有情報として１つまたは複数のメモを書き込んだ場合、利用者個人が持つメモ内容を一覧表示した端末画面を生成・配信する機能を持つ専有情報一覧画面生成・配信手段を追加したため、専有情報一覧画面をブックマーク的に利用することで、容易に共有情報に辿り着くことができる。
【００７３】
(14) 前記専有情報一覧画面生成・配信手段は、専有情報データベース４から、共有情報へのリンクがある専有情報レコードを取得し、共有情報データベース５から共有情報の情報識別子をキーにして共有情報レコードの一部を取得し、取得した専有情報と、専有情報に関連する共有情報の一部と、を同一画面に表示した端末画面を生成・配信するため、リンクと情報識別子をキーにする情報の受け渡しをするだけで、容易に専有情報と専有情報に関連する共有情報の一部を同一画面に表示した専有情報一覧の端末画面を生成・配信することができる。
【００７４】
(15) 前記専有情報一覧画面生成・配信手段は、利用者個人が持つ「メモ内容」を一覧表示した端末画面を生成・配信し、各「メモ内容」に有する「編集」ボタン９５，９６，９７，９８の選択操作により「メモ内容」の編集を行うため、専有情報一覧画面からボタン操作のみで容易にメモ内容の編集を行うことができる。
【００７５】
(16) 前記専有情報一覧画面生成・配信手段は、利用者個人が持つ「メモ内容」を一覧表示し、各「メモ内容」に有する「ジャンプ」ボタン９９，１００，１０１，１０２のうち１つのボタンを選択操作することで、「メモ内容」に関連するメッセージを有する共有情報の画面を表示するため、専有情報一覧画面からボタン操作のみで容易に共有情報の画面に移行することができる。
【００７６】
(17) 前記専有情報一覧画面生成・配信手段は、利用者個人が持つ「メモ内容」を表示した一覧画面に有する「メモ内容」のカテゴリを利用者が定義した場合、全ての「メモ内容」から該当するカテゴリの「メモ内容」のみを選択して表示するため、専有情報一覧画面に有する「メモ内容」のカテゴリを利用者が定義するだけで、容易にカテゴリ毎の目的別専有情報一覧を生成することができる。
【００７７】
以上、本発明の情報共有システムの情報連携プログラムを実施例１に基づき説明してきたが、具体的なプログラム構成については、この実施例１に限られるものではなく、特許請求の範囲の各請求項に係る発明の要旨を逸脱しない限り、プログラム変更やプログラム追加などは許容される。
【００７８】
実施例１のシステムは、情報共有システム内に存在し、一意に識別されるすべての対象物（共有情報、専有情報にかかわらない）に対して唯一の識別子を付与することを重要な基盤要素としている。そのため、本システムは、他の利用者に開示されていないばかりでなく、共有情報データベース以外からの共有情報の取り込みに対しても閉じた系として作成されているが、下記に述べるように、インターネット上の資源に対しても、本システムの情報連携プログラムを適用できる。
すなわち、本システムは、閉じた系であり、直接インターネット上の資源（ホームページなど）を取り扱うことができない。なぜなら、インターネット上の資源に、直接的に一意の識別子を付与することができないからである。
しかしながら、インターネット上の資源（ＵＲＬによって表すことができる）を、本システム内の１共有情報として取り込み、識別子を付与すれば、まったく同じ枠組みで管理することができる。
【００７９】
実施例１では、共有情報画面生成・配信手段として、情報共有システム内で唯一の識別子を持っている共有情報と、該共有情報のメッセージに関連付けた専有情報の書き込み欄（メモ編集画面領域）と、を同一画面に表示した端末画面のみを生成・配信する例を示したが、端末画面の生成・配信に、音声ブラウザにより画面の生成を前提とし表示内容を読み上げるための端末出力の生成・配信を加えても良い。
【００８０】
実施例１では、利用者がメモ内容のカテゴリを定義することが可能なカテゴリ設定部として、「色」ボタン７８ｄ，７８ｅを用い、選択操作によりカテゴリを設定する例を示したが、例えば、「マーク」ボタンを用い、選択操作によりカテゴリを設定する例としても良いし、さらに、文字入力（例えば、「緊急」）によりカテゴリを設定する例としても良い。
【産業上の利用可能性】
【００８１】
実施例１では、情報共有システムで表示される掲示板表示画面への適用例を示したが、情報共有システムで表示される画面であれば、教育情報表示画面や文献情報表示画面など様々な画面に対し適用できる。要するに、グループウェア、ＳＮＳ、Ｗｉｋｉ、ブログなどに代表される情報共有システムにおいて共有情報を表示する画面であれば適用できる。
【図面の簡単な説明】
【００８２】
【図１】実施例１の情報連携プログラムが適用された情報共有システムを示す全体システム図である。
【図２】実施例１の情報共有システムにおける専有情報データベースのテーブルを示す図である。
【図３】実施例１の情報共有システムにおける共有情報データベースのテーブルを示す図である。
【図４】実施例１の情報共有システムにおいて共有情報と専有情報を同一画面に表示するための連携情報画面生成処理の流れを示すフローチャートである。
【図５】実施例１の情報共有システムにおいて専有情報の一覧画面生成処理の流れを示すフローチャートである。
【図６】実施例１の情報共有システムでの操作のうちログイン操作を行う際の表示画面の一例を示す図である。
【図７】実施例１の情報共有システムでの操作のうち掲示板サービスへアクセス操作をした際の共有情報表示画面の一例を示す図である。
【図８】実施例１の情報共有システムでの操作のうち「メモ」ボタンをクリック操作する際の表示画面の一例を示す図である。
【図９】実施例１の情報共有システムでの操作のうち「メモ」ボタンのクリック操作によりメモ編集画面領域が表示された際の表示画面の一例を示す図である。
【図１０】実施例１の情報共有システムでの操作のうちメモ編集画面領域にメッセージの書き込み操作した際の表示画面の一例を示す図である。
【図１１】実施例１の情報共有システムでの操作のうち「更新」ボタンをクリック操作した際の表示画面の一例を示す図である。
【図１２】実施例１の情報共有システムでの操作のうち「更新」ボタンのクリック操作によりメモ編集画面領域が消えた後のメッセージと関連付けたメモの表示画面の一例を示す図である。
【図１３】実施例１の情報共有システムでの操作のうちメモの表示画面上で貼り付けたメモの内容を修正あるいは削除する操作を行う際の表示画面の一例を示す図である。
【図１４】実施例１の情報共有システムでの操作のうちメモ編集画面領域が現れてメモ内容の編集操作を行う際の表示画面の一例を示す図である。
【図１５】実施例１の情報共有システムでの操作のうち編集が終わって「更新」ボタンをクリック操作する際の表示画面の一例を示す図である。
【図１６】実施例１の情報共有システムでの操作のうち「更新」ボタンのクリック操作により更新されたメモの内容を表示する画面の一例を示す図である。
【図１７】実施例１の情報共有システムでの操作のうち掲示板サービスにてメッセージの標題のみを列挙した標題一覧画面を開く操作をした際の表示画面の一例を示す図である。
【図１８】実施例１の情報共有システムでの操作のうちメモ編集画面領域で「削除」ボタンをクリック操作する際の表示画面の一例を示す図である。
【図１９】実施例１の情報共有システムでの操作のうち「削除」のクリック操作によりメモ表示が消えた際の表示画面の一例を示す図である。
【図２０】実施例１の情報共有システムでの利用者個人が持つメモ一覧を表示する表示画面の一例を示す図である。
【図２１】実施例１の情報共有システムでのメモ一覧表示画面において「ジャンプ」ボタンをクリック操作した場合の掲示板表示画面の一例を示す図である。
【図２２】実施例１の情報共有システムでのメモ一覧表示画面において「赤」ボタンをクリック操作した場合のメモ一覧表示画面の一例を示す図である。
【符号の説明】
【００８３】
１  サーバー
２  利用者端末
２ａ  キーボード
２ｂ  モニター
３  ネットワーク
４  専有情報データベース
４ａ  情報識別子
４ｂ  情報所有者
４ｃ  情報種別
４ｄ  情報本体・カテゴリ
４ｅ  共有情報リンク
４ｆ  付加情報
５  共有情報データベース
５ａ  情報識別子
５ｂ  サブシステム種別
５ｃ  サブシステム情報
５ｄ  情報種別
５ｅ  情報本体
【図１】
2008065374.tif 000003
【図２】
2008065374.tif 000004
【図３】
2008065374.tif 000005
【図４】
2008065374.tif 000006
【図５】
2008065374.tif 000007
【図６】
2008065374.tif 000008
【図７】
2008065374.tif 000009
【図８】
2008065374.tif 000010
【図９】
2008065374.tif 000011
【図１０】
2008065374.tif 000012
【図１１】
2008065374.tif 000013
【図１２】
2008065374.tif 000014
【図１３】
2008065374.tif 000015
【図１４】
2008065374.tif 000016
【図１５】
2008065374.tif 000017
【図１６】
2008065374.tif 000018
【図１７】
2008065374.tif 000019
【図１８】
2008065374.tif 000020
【図１９】
2008065374.tif 000021
【図２０】
2008065374.tif 000022
【図２１】
2008065374.tif 000023
【図２２】
2008065374.tif 000024